(57)【要約】【課題】処置・治療法により内視鏡本体の単体のカメラによる死角は、様々である。この処置・治療時の死角が存在する部位を適確に観察できるよう新たなカメラを設置することにより死角をなくし、もしくは少なくし、より安全な内視鏡による処置・治療を可能にすることを課題とする。【解決手段】挿入部先端に着脱自在に固定されるＬ字型のカバーもしくはフード（６）において、当該カバーもしくはフードの軸方向に内側に向けてＣＣＤカメラもしくはカメラ（７）を内在させたカバーもしくはフードを内視鏡本体（８）に装着することにより内視鏡本体のＣＣＤカメラないしカメラ（９）により処置・治療を２方向からの観察を可能にした構造をもつ内視鏡により課題を解決する。【選択図】  図２
2007021161.tif 000002
【特許請求の範囲】
【請求項１】
挿入部先端のＬ字型になったインサート充実部分の垂直方向および水平方向にそれぞれＣＣＤカメラもしくはカメラを配し２方向からの観察を可能にした内視鏡
【請求項２】
挿入部先端に着脱自在に固定されるＬ字型のカバーもしくはフードにおいて、当該カバーもしくはフードの軸方向に内側に向けてＣＣＤカメラもしくはカメラを配することにより内視鏡本体のＣＣＤカメラと合わせて２方向からの観察を可能にした内視鏡カバーもしくはフード
【請求項３】
内視鏡と組み合わされて使用され、側方に処置用目的の側孔を設けたカバーないしチューブにおいて、当該カバーないしチューブと内視鏡併用時にカバーないしチューブの先端側からの観察を可能にするようカバーないしチューブの先端に内側に向けてＣＣＤカメラもしくはカメラを配することにより内視鏡本体のＣＣＤカメラもしくはカメラと合わせて２方向からの観察を可能にした内視鏡カバーないしチューブ
【請求項４】
内視鏡と組み合わされて使用され、側方に内視鏡本体を外出させるための側孔を設けたカバーないしチューブにおいて、当該カバーないしチューブと内視鏡併用時にカバーないしチューブの先端側からの観察を可能にするようカバーないしチューブの先端に外側に向けてＣＣＤカメラもしくはカメラを配することにより内視鏡本体のＣＣＤカメラもしくはカメラと合わせて２方向からの観察を可能にした内視鏡カバーないしチューブ
【請求項５】
内視鏡本体とは別に設けた１個もしくは複数の外付けチャンネルとして、ＣＣＤカメラもしくはカメラを配し２方向以上からの観察を可能にした内視鏡
【請求項６】
磁気アンカーにＣＣＤカメラもしくはカメラを配し２方向以上からの観察を可能にした内視鏡
【発明の詳細な説明】
【発明の詳細な説明】
【技術分野】
【０００１】  本発明は、より高度に、また難易度が高くなる複雑な内視鏡の治療・処置を多方向からの観察を可能にすることにより、安全かつ容易にする技術に関するものである。
【背景技術】
【０００２】  主に消化管内で行う処置・治療は口腔を介して行うため内視鏡や処置具の使用が制限されたが、特許文献１−５に示すような複雑な処置・治療が行うようにことが可能になった。しかし、通常内視鏡本体に備わる単体のカメラのみにて視野を得ていたため全貌を見通すことができず、処置・治療の一部が盲目的となり術者の勘や経験に基づいて行われている。【０００３】
【特許文献１】  特開２００１−３２１３８９号報
【０００４】
【特許文献２】  特開２００３−２２００６５号報
【０００５】
【特許文献３】  特開２００４−２３００５４号報
【０００６】
【特許文献４】  特開２００４−１０５７４３号報
【０００７】
【特許文献５】  特開２００４−３１３２５３号報
【発明が解決しようとする課題】
【０００８】  処置・治療法により内視鏡本体の単体のカメラによる死角は、様々である。この処置・治療時の死角が存在する部位を適確に観察できるよう新たなカメラを設置することにより死角をなくし、もしくは少なくし、より安全な内視鏡による処置・治療を可能にすることを課題とする。
【課題を解決するための手段】
【０００９】  特許文献１・４では内視鏡カバーないしチューブに開けた側孔を用いて処置・治療を行うため、当該内視鏡カバーないしチューブの遠位側に内側に向けて新たなカメラを設置することにより、特許文献２では内視鏡カバーないしチューブに開けた側孔から内視鏡本体を外出させて処置・治療を行うため、当該内視鏡カバーないしチューブの遠位側に外側に向けて新たなカメラを設置することにより、特許文献３では内視鏡とその先端に装着したフード内で処置・治療を行うため、外付けチャンネルによりフードの外側に新たなカメラを設置することにより、特許文献６では磁気アンカーで病変を把持して処置・治療を行うため、このアンカー自体に新たなカメラを設置することにより、マルチカメラの設置により処置・治療時の死角をなくす、もしくは少なくする。
【発明の実施の形態１】
【００１０】  図１に示すように、挿入部先端のＬ字型になったインサート充実部分（１）の垂直方向に内側に向けて内在させたＣＣＤカメラないしカメラ（２）と水平方向より前部に向けて内在したＣＣＤカメラないしカメラ（３）により処置・治療を２方向からの観察を可能にした構造をもつ内視鏡である。この際、ＣＣＤカメラないしカメラにそれぞれ光源（４，５）を配するが、処置・治療に最適の状態で光量の多少・オン・オフを可能にしたものとする。さらに、本発明の要旨を逸脱しない範囲で種々変形実施できることは勿論である。
【発明の実施の形態２】
【００１１】  図２に示すように、挿入部先端に着脱自在に固定されるＬ字型のカバーもしくはフード（６）において、当該カバーもしくはフードの軸方向に内側に向けてＣＣＤカメラもしくはカメラ（７）を内在させたカバーもしくはフードを内視鏡本体（８）に装着することにより内視鏡本体のＣＣＤカメラないしカメラ（９）により処置・治療を２方向からの観察を可能にした構造をもつ内視鏡である。この際、ＣＣＤカメラないしカメラにそれぞれ光源（１０，１１）を配するが、処置・治療に最適の状態で光量の多少・オン・オフを可能にしたものとする。さらに、本発明の要旨を逸脱しない範囲で種々変形実施できることは勿論である。
【発明の実施の形態３】
【００１２】  図３に示すように、内視鏡と組み合わされて使用され、側方に処置用目的の側孔（１２）を設けたカバーないしチューブ（１３）において、当該カバーないしチューブと内視鏡併用時にカバーないしチューブの先端側からの観察を可能にするようカバーないしチューブの先端に内側に向けてＣＣＤカメラもしくはカメラ（１４）を配した構造を持つカバーないしチューブ（１３）とし、これを内視鏡（８）と組み合わせることにより内視鏡本体のＣＣＤカメラもしくはカメラ（９）と合わせて処置・治療を２方向からの観察を可能にした構造をもつ内視鏡である。この際、ＣＣＤカメラないしカメラにそれぞれ光源（１５，１１）を配するが、処置・治療に最適の状態で光量の多少・オン・オフを可能にしたものとする。さらに、本発明の要旨を逸脱しない範囲で種々変形実施できることは勿論である。
【発明の実施の形態４】
【００１３】  図４に示すように、内視鏡と組み合わされて使用され、側方に内視鏡本体を外出させるための側孔（１６）を設けたカバーないしチューブ（１７）において、当該カバーないしチューブと内視鏡併用時にカバーないしチューブの先端側からの観察を可能にするようカバーないしチューブの先端に外側に向けてＣＣＤカメラもしくはカメラ（１８）を配した構造を持つカバーないしチューブ（１７）とし、これを内視鏡（８）と組み合わせることにより内視鏡本体のＣＣＤカメラもしくはカメラ（９）と合わせて処置・治療を２方向からの観察を可能にした構造をもつ内視鏡である。この際、ＣＣＤカメラないしカメラにそれぞれ光源（１９，１１）を配するが、処置・治療に最適の状態で光量の多少・オン・オフを可能にしたものとする。さらに、本発明の要旨を逸脱しない範囲で種々変形実施できることは勿論である。
【発明の実施の形態５及び６】
【００１４】  図５に示すように、内視鏡本体（８）とは別に設けた１個（２０）もしくは複数（２１）の外付けチャンネルとして、１個（２２）もしくは複数（２３）のＣＣＤカメラもしくはカメラを挿入して、これを内視鏡（８）もしくは、図６に示すように、他の処置用フードもしくはカバー（２５）を装着した内視鏡と組み合わせることにより内視鏡本体のＣＣＤカメラもしくはカメラ（９）と合わせて処置・治療を２方向からの観察を可能にした構造をもつ内視鏡である。この際、ＣＣＤカメラないしカメラにそれぞれ光源（２４，１１）を配するが、処置・治療に最適の状態で光量の多少・オン・オフを可能にしたものとする。さらに、本発明の要旨を逸脱しない範囲で種々変形実施できることは勿論である。
【発明の実施の形態７】
【００１５】  特許文献５に示されているように、人体内部の病変部を掛着する掛着部（２６）とそれに連結される磁気アンカー（２７）に図７に示すように新たに無線もしくは配線材（２８）につながった有線のＣＣＤカメラもしくはカメラ（２９）を配することにより、人体外部に配置され磁界を発生して磁気アンカーに動力を与える磁気アンカー誘導装置（３０）を備えて自由に動かすことの可能となった掛着部を持った磁気アンカーのＣＣＤカメラもしくはカメラ（２８）と、これを内視鏡（８）と組み合わせることにより内視鏡本体のＣＣＤカメラもしくはカメラ（９）と合わせて処置・治療を２方向からの観察を可能にした構造をもつ内視鏡である。この際、ＣＣＤカメラないしカメラにそれぞれ光源（３１，１１）を配するが、処置・治療に最適の状態で光量の多少・オン・オフを可能にしたものとする。さらに、本発明の要旨を逸脱しない範囲で種々変形実施できることは勿論である。
【実施例】
【００１６】  図３に示すような内視鏡と組み合わされて使用され、例えば側孔より粘膜を吸引して早期消化管癌等を切除する場合、本発明の如くカバーないしチューブにＣＣＤカメラないしはカメラがあれば、通常であれば盲目的になるところを吸引された病変の反対側の観察が可能となり、安全かつ病変の範囲を同定しながら切除することが可能となる。
【発明の効果】
【００１７】  本発明は、口腔を介して挿入する内視鏡治療の死角になる部分に、様々な設置方法に基づいて別個のＣＣＤカメラないしカメラを配することにより可能な限り死角をなくし、複数のモニターテレビもしくは受像機にて複数の角度ないし視野から処置・治療の現場を観察することを目的としており、処置・治療の流れの中で勘や経験に頼っていた部分を視覚にとらえることにより、容易かつ安全、また正確な処置・治療を行うことを可能にする。これにより、検査時間、処置・治療時間の短縮も可能にする。
【図面の簡単な説明】
【図１】発明の実施の形態１の説明図である。
【図２】発明の実施の形態２の説明図である。
【図３】発明の実施の形態３の説明図である。
【図４】発明の実施の形態４の説明図である。
【図５】発明の実施の形態５の説明図である。
【図６】発明の実施の形態６の説明図である。
【図７】発明の実施の形態７の説明図である。
【符号の説明】
１  インサート充実部
２  ＣＣＤカメラないしカメラ
３  ＣＣＤカメラないしカメラ
４  光源
５  光源
６  Ｌ字型カバーもしくはフード
７  ＣＣＤカメラないしカメラ
８  内視鏡本体
９  ＣＣＤカメラないしカメラ
１０  光源
１１  光源
１２  側孔
１３  内視鏡カバーないしチューブ
１４  ＣＣＤカメラないしカメラ
１５  光源
１６  側孔
１７  内視鏡カバーないしチューブ
１８  ＣＣＤカメラないしカメラ
１９  光源
２０  外付けチャンネル
２１  別付け外付けチャンネル
２２  ＣＣＤカメラないしカメラ
２３  別付けＣＣＤカメラないしカメラ
２４  掛着部
２５  処置用フードないしカバー
２６  磁気アンカー
２７  配線材
２８  ＣＣＤカメラないしカメラ
２９  磁気アンカー誘導装置
３０  光源
３１  鉗子孔
３２  外付け配線材
【図１】
2007021161.tif 000003
【図２】
2007021161.tif 000004
【図３】
2007021161.tif 000005
【図４】
2007021161.tif 000006
【図５】
2007021161.tif 000007
【図６】
2007021161.tif 000008
【図７】
2007021161.tif 000009